(57)【要約】【課題】音声通話中に携帯情報端末で通話相手の個人情報を容易に登録する。【解決手段】携帯情報端末１では、音声通話制御部１３１により音声通話を制御する。メール送受信部１３２は、メールを送受信する。状態管理部１０は、音声通話制御部１３１による音声通話中に、メール送受信部１３２によりＭＭＳメールが受信されると、受信したＭＭＳメールに含まれる電話番号が通話相手の電話番号と一致するか否か判定し、一致すると判定した場合、ＭＭＳメールに含まれる通話相手の属性情報を、通話相手の電話番号と関連付けて電話帳データ記録部１６１に記憶させる。【選択図】図１
2014027354.tif 000002
【特許請求の範囲】
【請求項１】
音声通話を制御する音声通話制御部と、
メールを受信するメール受信部と、
前記音声通話制御部による音声通話中に前記メール受信部によりメールが受信された場合、受信したメールに含まれる電話番号が通話相手の電話番号と一致するか否か判定する判定部と、
前記判定部が一致すると判定した場合、前記メールに含まれる前記通話相手の属性情報を前記通話相手の電話番号と関連付けて記憶部に記憶させる記憶処理部と、
を備えることを特徴とする携帯情報端末。
【請求項２】
前記通話相手の電話番号宛に自端末の使用者の属性情報を添付したメールを作成するメール作成部と、
前記メール作成部によって作成された、当該端末の使用者の属性情報を添付したメールを、前記通話相手の電話番号宛に送信するメール送信部と、
を更に備えることを特徴とする請求項１に記載の携帯情報端末。
【請求項３】
前記通話相手の電話番号宛に当該端末の使用者の属性情報を添付したメールの前記メール作成部による作成と、前記メール送信部による前記メールの送信とを実行させるための指示を、前記音声通話中に受け付ける操作部を更に備える
ことを特徴とする請求項２に記載の携帯情報端末。
【請求項４】
音声通話とメール受信とが可能な携帯情報端末での情報交換方法であって、
判定部が、音声通話中にメールを受信した場合、受信したメールに含まれる電話番号が通話相手の電話番号と一致するか否か判定する第１の過程と、
記憶処理部が、前記第１の過程で一致すると判定された場合、前記メールに含まれる前記通話相手の属性情報を前記通話相手の電話番号と関連付けて記憶部に記憶させる第２の過程と、
を有することを特徴とする情報交換方法。
【請求項５】
音声通話制御部が、音声通話を開始する第１の過程と、
操作部が、該操作部を操作するユーザから、該ユーザのメールアドレスの送信指示を受け付ける第２の過程と、
メール作成部が、前記ユーザのメールアドレスをパッケージ化したファイルが添付され、宛先には音声通話中の相手先の電話番号が入力されたメールを作成する第３の過程と、
メール送信部が、前記第３の過程により作成されたメールを送信する第４の過程と、
を有することを特徴とする情報送信方法。
【請求項６】
音声通話制御部が、音声通話を開始する第１の過程と、
メール受信部が、メールアドレスをパッケージ化したファイルが添付されたメールを受信する第２の過程と、
判定部が、前記受信したメールの送信元のメールアドレスが、通話相手の電話番号であるか否かを判定する第３の過程と、
記憶処理部が、添付のファイルを新規の電話帳データとして登録するか、既存の電話帳データに上書きする第４の過程と、
を有することを特徴とする情報交換方法。
【請求項７】
音声通話とメール受信とが可能な携帯情報端末におけるコンピュータに、
音声通話中にメールを受信した場合、受信したメールに含まれる電話番号が通話相手の電話番号と一致するか否か判定する第１の手順と、
前記第１の手順で一致すると判定した場合、前記メールに含まれる前記通話相手の属性情報を前記通話相手の電話番号と関連付けて記憶部に記憶させる第２の手順と、
を実行させるためのプログラム。
【発明の詳細な説明】
【技術分野】
【０００１】
本発明は、携帯情報端末、情報交換方法、情報送信方法、及びプログラムに関する。
【背景技術】
【０００２】
携帯電話機に代表される携帯情報端末は、音声通話機能やメール送受信機能を有している。携帯情報端末のメール送受信機能として、ＳＭＳ（ショートメッセージングサービス）とＭＭＳ（マルチメディアメッセージングサービス）とがある。ＳＭＳは、短い文字メッセージを送受信できるサービスで、相手の電話番号を指定して送ることができる。ＭＭＳは、画像やファイルなどマルチメディアメッセージを送受信できるサービスで、相手の電話番号、もしくはメールアドレスを指定して送ることができる。
【０００３】
携帯情報端末において、相手との連絡手段の１つとして前述のメール送受信機能を使用するが、その場合に、相手に自己のメールアドレスを教えたい場面とか、相手のメールアドレスを教えてもらいたい場面とかがある。例えば、初めて電話をかけた相手の場合には、その後の連絡手段のために、相手と携帯情報端末のメールアドレスを交換しておきたい場合がある。また、別の場面では、自分の端末には相手の電話番号は登録しているが、相手の携帯情報端末のメールアドレスは登録していない場合、相手に電話して相手のメールアドレスを教えてもらいたい場合がある。
【０００４】
前者のような場面において、従来は、通話中に声で自分のメールアドレスを読み上げて、それを相手に一旦、紙等にメモしてもらい、通話が終わった後に、改めて手入力により携帯情報端末の電話帳に電話帳データとして登録してもらう、という方法を取っていた。あるいは、相手との通話後、相手の電話番号宛に、メールの本文に自分のメールアドレスを入力したＳＭＳメール、もしくはＭＭＳメールを送り、相手には、受信したＳＭＳメール、もしくはＭＭＳメールの本文に入力されたメールアドレスを、携帯情報端末に搭載されたコピー及びペースト機能を使用して電話帳に電話帳データとして登録してもらう、という方法もあった。
【０００５】
一方、相手のメールアドレスを教えてもらう場合には、上述した逆の方法で、通話中に相手に音声で相手のメールアドレスを読み上げてもらい、それを自分が一旦、紙等にメモし、通話が終わった後に、改めて手入力により端末の電話帳に電話帳データとして登録する、という方法がある。あるいは、相手との通話後、自分の電話番号宛に、メールの本文に相手のメールアドレスを入力したＳＭＳメール、もしくはＭＭＳメールを相手から送ってもらい、自分が受信したＳＭＳメール、もしくはＭＭＳメールの本文に含まれるメールアドレスを携帯情報端末に搭載されたコピー及びペースト機能を使用して電話帳に電話帳データとして登録する、という方法を取っていた。
【０００６】
しかしながら、上述したような操作方法では、一旦、紙等にメモしたものを改めて登録したり、受信したＳＭＳメール、もしくはＭＭＳメールを表示してコピー及びペースト機能を使用して登録したりするのに手間がかかり、利便性に難があった。また、メールアドレスを交換するためには、上述した方法を、自分も相手も行なう必要があり、双方に手間がかかっていた。
【０００７】
また、メールアドレスの交換の目的以外に、住所やその他の個人情報を交換したい場合も同様の方法しかなく、手間がかかっていた。
【０００８】
これに対して、例えば、特許文献１では、電話番号やメールアドレスなど、自分の端末の電話帳に登録されている第三者の個人情報を、ＳＭＳやＭＭＳなどのメッセージに含めて相手に送る方法や、受けた相手がその情報を電話帳に登録したりできる方法が提案されている。
【先行技術文献】
【特許文献】
【０００９】
【特許文献１】特開２００７−２０２１１３号公報
【発明の概要】
【発明が解決しようとする課題】
【００１０】
しかしながら、特許文献１の技術では、電話帳から相手を特定する操作が必要であり、また、受信した相手が手動で電話帳に登録する操作が必要であり、手間がかかるという問題があった。
【００１１】
本発明は、このような事情を考慮してなされたものであり、音声通話中に携帯情報端末で通話相手の個人情報を容易に登録することができる携帯情報端末、情報交換方法、情報送信方法、及びプログラムを提供することを課題とする。
【課題を解決するための手段】
【００１２】
（１）本発明は上記の課題を解決するためになされたものであり、本発明の一態様は、音声通話を制御する音声通話制御部と、メールを受信するメール受信部と、前記音声通話制御部による音声通話中に前記メール受信部によりメールが受信された場合、受信したメールに含まれる電話番号が通話相手の電話番号と一致するか否か判定する判定部と、前記判定部が一致すると判定した場合、前記メールに含まれる前記通話相手の属性情報を前記通話相手の電話番号と関連付けて記憶部に記憶させる記憶処理部と、を備えることを特徴とする携帯情報端末である。
【００１３】
（２）本発明の他の態様は、上述の携帯情報端末において、前記通話相手の電話番号宛に自端末の使用者の属性情報を添付したメールを作成するメール作成部と、前記メール作成部によって作成された、当該端末の使用者の属性情報を添付したメールを、前記通話相手の電話番号宛に送信するメール送信部と、を更に備えることを特徴とする。
【００１４】
（３）本発明の他の態様は、上述の携帯情報端末において、前記通話相手の電話番号宛に当該端末の使用者の属性情報を添付したメールの前記メール作成部による作成と、前記メール送信部による前記メールの送信とを実行させるための指示を、前記音声通話中に受け付ける操作部を更に備えることを特徴とする。
【００１５】
（４）本発明の他の態様は、音声通話とメール受信とが可能な携帯情報端末での情報交換方法であって、判定部が、音声通話中にメールを受信した場合、受信したメールに含まれる電話番号が通話相手の電話番号と一致するか否か判定する第１の過程と、記憶処理部が、前記第１の過程で一致すると判定された場合、前記メールに含まれる前記通話相手の属性情報を前記通話相手の電話番号と関連付けて記憶部に記憶させる第２の過程と、を有することを特徴とする情報交換方法である。
【００１６】
（５）本発明の他の態様は、音声通話制御部が、音声通話を開始する第１の過程と、
操作部が、該操作部を操作するユーザから、該ユーザのメールアドレスの送信指示を受け付ける第２の過程と、メール作成部が、前記ユーザのメールアドレスをパッケージ化したファイルが添付され、宛先には音声通話中の相手先の電話番号が入力されたメールを作成する第３の過程と、メール送信部が、前記第３の過程により作成されたメールを送信する第４の過程と、を有することを特徴とする情報送信方法である。
【００１７】
（６）本発明の他の態様は、音声通話制御部が、音声通話を開始する第１の過程と、
メール受信部が、メールアドレスをパッケージ化したファイルが添付されたメールを受信する第２の過程と、判定部が、前記受信したメールの送信元のメールアドレスが、通話相手の電話番号であるか否かを判定する第３の過程と、記憶処理部が、添付のファイルを新規の電話帳データとして登録するか、既存の電話帳データに上書きする第４の過程と、
を有することを特徴とする情報交換方法である。
【００１８】
（７）本発明の他の態様は、音声通話とメール受信とが可能な携帯情報端末におけるコンピュータに、音声通話中にメールを受信した場合、受信したメールに含まれる電話番号が通話相手の電話番号と一致するか否か判定する第１の手順と、前記第１の手順で一致すると判定した場合、前記メールに含まれる前記通話相手の属性情報を前記通話相手の電話番号と関連付けて記憶部に記憶させる第２の手順と、を実行させるためのプログラムである。
【発明の効果】
【００１９】
この発明によれば、音声通話中に携帯情報端末で通話相手のメールアドレス等の個人情報を容易に登録することができる。
【図面の簡単な説明】
【００２０】
【図１】本発明の実施形態による携帯情報端末の構成を示すブロック図である。
【図２】本実施形態の携帯情報端末によるメールアドレス通知手順を示すフローチャートである。
【図３】本実施形態の携帯情報端末によるメールアドレス通知手順における画面遷移を示す概念図である。
【図４】本実施形態の携帯情報端末によるメールアドレス登録手順を示すフローチャートである。
【図５】本実施形態の携帯情報端末によるメールアドレス登録手順における画面遷移を示す概念図である。
【発明を実施するための形態】
【００２１】
以下、本発明の一実施形態を、図面を参照して説明する。
【００２２】
図１は、本発明の実施形態による携帯情報端末１の構成を示すブロック図である。以下では、携帯情報端末１を「端末１」と言うことがある。
図１において、端末１は、状態管理部１０、操作部１１、表示部１２、通信部１３、マイク１４、スピーカ１５、電話帳１６、プロフィール情報記憶部１７、及びｖＣａｒｄ（登録商標）ファイル変換部１８を備える。
【００２３】
状態管理部１０は、メモリ（図示せず）に記憶されているプログラムを実行し、後述する各部の動作を制御する。より具体的には、状態管理部１０は、音声通話中に、ユーザの所定の操作に応じて、当該端末のユーザのプロフィール情報ファイル（ｖＣａｒｄファイル）を添付したＭＭＳメールを作成し、通話中の相手端末に送信する。また、状態管理部１０は、音声通話中に、プロフィール情報ファイル（ｖＣａｒｄファイル）が添付されたＭＭＳメールを受信すると、所定の条件の下、音声通話中の相手の電話番号に関連付けてプロフィール情報ファイル（ｖＣａｒｄファイル）を電話帳に登録する。
【００２４】
操作部１１は、各種機能キーやテンキーなどからなる。表示部１２は、液晶表示器、あるいは有機ＥＬ表示器からなり、各種メニューやデータなどを表示する。通信部１３は、音声通信やメール送受信を制御する。該通信部１３は、音声通信を制御する音声通話制御部１３１と、ＳＭＳやＭＭＳのメール送受信を行うメール送受信部（メール送信部、メール受信部）１３２とを備えている。マイク１４は、音声通話等においてユーザの音声を集音する。スピーカ１５は、音声通話等において、相手の音声を出力する。電話帳１６は、相手の名前、住所、勤務先、メールアドレス等からなる電話帳データを記憶する電話帳データ記録部１６１を備えている。
【００２５】
プロフィール情報記憶部１７は、当該端末のユーザのメールアドレスのほかに、自身の名前や住所、勤務先などの情報が含まれるプロフィール情報ファイルを記憶する。ｖＣａｒｄファイル変換部１８は、プロフィール情報ファイルをｖＣａｒｄファイル形式に変換する一方、ｖＣａｒｄファイル形式のファイルを一般的な電話帳データに変換する。
【００２６】
図２は、本実施形態の端末１によるメールアドレス通知手順を示すフローチャートである。また、図３は、本実施形態の端末１によるメールアドレス通知手順における画面遷移を示す概念図である。相手の端末の電話帳に自分の端末のメールアドレスを連絡する方法として、具体的には、音声通話中に使用できる機能として「自分のメールアドレスを送信する」というメニューを設ける。
【００２７】
ユーザが発信操作するか、着信に応じて着信操作すると、状態管理部１０は、通信部１３の音声通話制御部１３１により、発信先との通信を確立して音声通話を開始し（ステップＳ１）、音声通話中とする（ステップＳ２）。
音声通話中、表示部１２の画面には、図３の左側に示すように、通話中の相手の電話番号が表示される。この状態で、ユーザが操作部１１のメニューボタン（図示せず）を押下すると、図３の中央に示すように、状態管理部１０により、表示部１２には、上記「自分のメールアドレスを送信する」というメニューが表示される。
【００２８】
音声通話中に、ユーザが上記「自分のメールアドレスを送信する」というメニューを実行（選択）すると（ステップＳ３）、操作部１１は、その旨を受信する。このメニューの実行（選択）は、操作部１１の実行キー（図示せず）を押下するか、または、表示部１２がタッチパネルを有する場合は当該個所をタッチすることによって行われる。
この例のように、操作部１１は、通話相手の電話番号宛に、当該端末の使用者の属性情報を添付したメールの、状態管理部１０による作成と、メール送受信部１３２によるメールの送信とを実行させるための指示を、音声通話中に受け付ける。そして、ｖＣａｒｄファイル変換部１８は、例えば、プロフィール情報ファイルをｖＣａｒｄファイル形式に変換して、ｖＣａｒｄファイルを生成する。状態管理部１０は、例えば、自分のメールアドレスを含むｖＣａｒｄファイルが添付され、宛先には音声通話中の相手の電話番号が入力されたＭＭＳメールを作成する（ステップＳ４）。すなわち、状態管理部１０は、通話相手の電話番号宛に当該端末の使用者の属性情報を添付したメールを作成するメール作成部として機能する。そして、メール送受信部１３２は、状態管理部１０が作成したＭＭＳメールを送信する（ステップＳ５）。
【００２９】
ＭＭＳメールを送信後、状態管理部１０は、表示部１２の画面に、図３の右側に示すように、「自分のメールアドレスを送信しました」と表示し、ユーザにメール送信が実行されたことを通知する。そして、内蔵のタイマがタイムアウト（例えば、３秒間経過）すると、図３の左側に示す通話中の画面に戻る。次いで、ユーザは、任意に音声通話を終了する（ステップＳ６）。
【００３０】
図４は、本実施形態の端末１によるメールアドレス登録手順を示すフローチャートである。また、図５は、本実施形態の端末１によるメールアドレス登録手順における画面遷移を示す概念図である。
【００３１】
ユーザが発信操作するか、着信に応じて着信操作すると、状態管理部１０は、通信部１３の音声通話制御部１３１により、発信先との通信を確立して音声通話を開始し（ステップＳ１０）、音声通話中とする（ステップＳ１１）。音声通話中、表示部１２の画面には、図５の左側に示すように、通話中の相手の電話番号が表示される。そして、音声通話中にＭＭＳメールを受信すると（ステップＳ１２）、状態管理部１０は、そのメールの送信元のメールアドレスを判別し、そのメールアドレスが、通話相手の電話番号であるか否かを判別する（ステップＳ１３）。すなわち、状態管理部１０は、音声通話制御部１３１による音声通話中にメール送受信部１３２によりメールが受信された場合、受信したメールに含まれる電話番号が、通話相手の電話番号と一致するか否か判定する判定部として機能する。そして、メールアドレスが、通話相手の電話番号でない場合には（ステップＳ１３のＮＯ）、オンフック操作を経て音声通話を終了する（ステップＳ１８）。
【００３２】
一方、メールアドレスが、通話相手の電話番号である場合には、状態管理部１０は、そのＭＭＳメールにプロフィール情報ファイル（例えば、ｖＣａｒｄファイル）が添付されているか否かを判別する（ステップＳ１４）。そして、ＭＭＳメールにプロフィール情報ファイル（例えば、ｖＣａｒｄファイル）が添付されていない場合には（ステップＳ１４のＮＯ）、オンフック操作を経て音声通話を終了する（ステップＳ１８）。
【００３３】
一方、メールアドレスが通話中の電話番号で、かつ、そのＭＭＳメールにプロフィール情報ファイル（ｖＣａｒｄファイル）が添付されている場合には（ステップＳ１４のＹＥＳ）、状態管理部１０は、通話中の電話番号を有する電話帳データが登録されているか否かを判別する（ステップＳ１５）。そして、通話中の電話番号を有する電話帳データが登録されていない場合には（ステップＳ１５のＮＯ）、ＭＭＳメールに添付されているプロフィール情報ファイル（ｖＣａｒｄファイル）を、新規の電話帳データとして登録する（ステップＳ１６）。ｖＣａｒｄファイル変換部１８は、登録に際して、ｖＣａｒｄファイル形式のファイルを一般的な電話帳データに変換する。
この例のように、状態管理部１０は、受信したメールに含まれる電話番号が、通話相手の電話番号と一致すると判定した場合、メールに含まれる通話相手の属性情報を、通話相手の電話番号と関連付けて記憶部に記憶させる記憶処理部として機能する。
【００３４】
プロフィール情報ファイル（ｖＣａｒｄファイル）の登録後、状態管理部１０は、表示部１２の画面に、図５の右側に示すように、「０９０−１２３４−５６７８からのメールアドレスを電話帳に登録しました」と表示し、ユーザに登録処理が完了したことを通知する。そして、タイムアウト（例えば、３秒間経過）すると、図５の左側に示す通話中の画面に戻る。その後、オンフック操作を経て音声通話を終了する（ステップＳ１８）。
【００３５】
一方、通話中の電話番号を有する電話帳データが登録されている場合には（ステップＳ１５のＹＥＳ）、状態管理部１０は、ＭＭＳメールに添付されているプロフィール情報ファイル（ｖＣａｒｄファイル）を、通話相手の電話番号を持つ電話帳データに、上書き登録する（ステップＳ１７）。ｖＣａｒｄファイル変換部１８は、登録に際して、ｖＣａｒｄファイル形式のファイルを一般的な電話帳データに変換する。この場合も同様に、プロフィール情報ファイル（ｖＣａｒｄファイル）の登録後、表示部１２の画面に、図５の右側に示すように、「０９０−１２３４−５６７８からのメールアドレスを電話帳に登録しました」と表示し、ユーザに登録処理が完了したことを通知する。そして、タイムアウト（３秒間）すると、図５の左側に示す通話中の画面に戻る。その後、オンフック操作を経て音声通話を終了する（ステップＳ１８）。なお、上記ステップＳ１７では、単に上書き登録としたが、重複しない情報のみ上書きするようにしてもよい。
【００３６】
なお、上述したメールアドレス登録手順において、ＭＭＳメールを受信した端末は、ＭＭＳメールに添付されているプロフィール情報ファイル（ｖＣａｒｄファイル）を、電話帳に登録後、オンフック操作を経て音声通話を終了するとしたが、プロフィール情報ファイル（ｖＣａｒｄファイル）の電話帳への登録後、図２、図３を参照して説明したように、自身のプロフィール情報ファイル（ｖＣａｒｄファイル）を添付したＭＭＳメールを送信（返信）するようにしてもよい。
【００３７】
そして、返信されたＭＭＳメールを受信した端末は、図４、図５を参照して説明したように、受信したＭＭＳメールに添付されているプロフィール情報ファイル（ｖＣａｒｄファイル）を、自身の電話帳に登録するようにしてもよい。この方法により、始めに一方の端末で、「自分のメールアドレスを送信する」メニューを実行する操作を行うだけで、双方の端末の間で互いに、メールアドレスを含むプロフィール情報を交換することができる。
【００３８】
但し、上述したプロフィール情報の交換は、不正な目的にも使用することができ、相手のメールアドレスを相手の許可無く盗み取ることができてしまうという問題がある。そのための別の方法としては、相手の端末１にプロフィール情報ファイル（ｖＣａｒｄファイル）を添付したＭＭＳメールを送信する前に、「送信してもよいか？」という確認画面を表示し、許可した場合に限り、プロフィール情報ファイル（ｖＣａｒｄファイル）を添付したＭＭＳメールを送信するようにしてもよい。
【００３９】
また、別の方式としては、登録時の条件を利用し、他方の端末の電話帳に、一方の端末の電話番号が登録されていた場合に、その電話帳データに上書きするが、その場合に限り（すなわち、一方の端末の電話番号が他方の端末の電話帳に登録されていた場合に限り）、その後、他方の端末から、自動的に一方の端末に対して、プロフィール情報ファイル（ｖＣａｒｄファイル）を添付したＭＭＳメールを送信するようにしてもよい。
【００４０】
なお、上述した実施形態は、音声通話中にＭＭＳメールを送受信できる端末で実現可能な方法であるが、それができない端末１の場合であっても、代替方式として、音声通話終了後、ある一定時間以内に通話相手からプロフィール情報ファイル（ｖＣａｒｄファイル）を添付したＭＭＳメールを受信すると、それを音声通話中に受信したＭＭＳメールと同等に扱うことで実現可能である。
【００４１】
上述した実施形態によれば、簡単な操作を行なうことで、通話中の相手に自分のメールアドレスを教えたり、相手から教えてもらったメールアドレスを容易に登録したりすることができる。また、プロフィール情報ファイルを扱うため、メールアドレス以外の個人情報についても同様に簡単に交換することができる。
【００４２】
なお、上述した実施形態における端末１の一部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、端末１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、更に前述した機能をコンピュータシステムにすでに記録されているプログラムとの組み合わせで実現できるものであっても良い。
【００４３】
また、上述した実施形態における端末１の一部、または全部を、ＬＳＩ（Ｌａｒｇｅ  Ｓｃａｌｅ  Ｉｎｔｅｇｒａｔｉｏｎ）等の集積回路として実現しても良い。端末１の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００４４】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００４５】
１…端末、１０…状態管理部、１１…操作部、１２…表示部、１３…通信部、１３１…音声通話制御部、１３２…メール送受信部（メール受信部、メール送信部）、１４…マイク、１５…スピーカ、１６…電話帳、１６１…電話帳データ記録部、１７…プロフィール情報記憶部、１８…ｖＣａｒｄファイル変換部
【図１】
2014027354.tif 000003
【図２】
2014027354.tif 000004
【図３】
2014027354.tif 000005
【図４】
2014027354.tif 000006
【図５】
2014027354.tif 000007